(57)【要約】【課題】浸水や衝撃などの外的作用により故障・破損等することを防止できると共に防犯機能を高めることができるシャッター移動検出装置及び防犯シャッターシステムを提供する。【解決手段】シャッター移動検出装置２１は、座板部１３と複数のスラット部１５を有し開口部を開閉するシャッター１２の座板部１３又はスラット部１５の移動により変位する被検出手段２４と、所定の高さに設けられ被検出手段２４の変位を検出する検出手段２２と、を有する構成とし、防犯シャッターシステム１０は、上記シャッター移動検出装置２１と、開口部を開閉するようにシャッター１２を上下方向に移動させるシャッター移動手段１４と、シャッター移動手段１４を作動させる駆動手段１６と、を有し、制御手段が検出信号送信手段の検出信号に基づいて駆動手段１６を制御する構成とした。【選択図】      図１
2005314897.tif 000002
【特許請求の範囲】
【請求項１】
座板部と複数のスラット部を有し開口部を開閉するシャッターの前記座板部又は／及び前記スラット部の移動により変位する被検出手段と、
所定の高さに設けられ前記被検出手段の変位を検出する検出手段と、
を有することを特徴とするシャッター移動検出装置。
【請求項２】
前記被検出手段は、前記座板部の近傍に取り付けられ前記座板部又は／及び前記スラット部の移動により変位する連動部材であることを特徴とする請求項１に記載のシャッター移動検出装置。
【請求項３】
前記連動部材は、変位方向に伸縮しない非伸縮性部材であることを特徴とする請求項２に記載のシャッター移動検出装置。
【請求項４】
前記検出手段は、前記被検出手段又は前記連動部材の変位を検出したときに、外部に検出信号を出力する検出信号送信手段を有することを特徴とする請求項１乃至３のいずれか１項に記載のシャッター移動検出装置。
【請求項５】
前記検出信号送信手段から出力される検出信号の有効又は無効を切り替え制御する切替手段を有することを特徴とする請求項４に記載のシャッター移動検出装置。
【請求項６】
前記検出信号送信手段から出力される検出信号が有効であるか又は無効であるかを表示する表示手段を有することを特徴とする請求項５に記載のシャッター移動検出装置。
【請求項７】
請求項４乃至６のいずれか１項に記載のシャッター移動検出装置と、
前記開口部を開閉するように前記シャッターを上下方向に移動させるシャッター移動手段と、
前記シャッター移動手段を作動させる駆動手段と、を有し、
前記制御手段は、前記検出信号送信手段の検出信号に基づいて前記駆動手段を制御することを特徴とする防犯シャッターシステム。
【請求項８】
侵入者を威嚇又は／及び撃退する威嚇・撃退手段を有し、
前記制御手段は、前記検出信号送信手段の検出信号に基づいて、前記駆動手段の制御と共にあるいは前記駆動手段の制御に替えて、前記威嚇・撃退手段を制御することを特徴とする請求項７に記載の防犯シャッターシステム。
【請求項９】
前記威嚇・撃退手段は、所定の音を出力する音出力手段又は光を出射する光出射手段の少なくとも一方であり、
前記制御手段は、前記検出信号送信手段の検出信号に基づいて、前記駆動手段の制御と共にあるいは前記駆動手段の制御に替えて、前記音出力手段から警報を出力させ又は／及び前記光出射手段から光を出射させることを特徴とする請求項８に記載の防犯シャッターシステム。
【発明の詳細な説明】
【技術分野】
【０００１】
本発明は、シャッターの移動を検出するシャッター移動検出装置及びこれを備えた防犯シャッターシステムに関する。
【背景技術】
【０００２】
従来から、住居、事務所及び店舗などのシャッターをこじ開けて内部に侵入する事件が多発している。
この種の事件の防犯対策として、シャッターの座板部分が持ち上げられたことを検出する防犯シャッターシステムが知られている。すなわち、図６に示すように、防犯シャッターシステムを構成するシャッターカーテン６００の座板６０２には障害物感知器（変位検出手段）６０４が設けられており、シャッターカーテン６００が下降すると、障害物感知器６０４の作動スイッチ（変位検出手段）６０６がＯＮとなり、開閉機Ｍが停止し全閉停止状態となる。この全閉時に座板６０２が持ち上げられると、作動スイッチ６０６がＯＦＦとなり、障害物感知器６０４が感知信号を送信し、受信器（変位検出手段）６０８が感知信号を受信すると、制御部６１０が防犯信号を外部出力する（下記特許文献１参照）。
【０００３】
【特許文献１】特開２０００−０７３６７９号公報
【発明の開示】
【発明が解決しようとする課題】
【０００４】
しかしながら、上記防犯シャッターシステムは、シャッターカーテンが閉じると障害物感知器が床面近傍に位置することになる。このため、豪雨や台風時に床面が浸水等したり、あるいは座板が床面に激しく衝突すると、障害物感知器が精密部品であるため、故障・破損等してしまう恐れがある。障害物感知器が故障・破損等すると、本来の防犯機能が作用しなくなる問題がある。
【０００５】
そこで、本発明は、上記事情を考慮し、浸水や衝撃などの外的作用により故障・破損等することを防止できると共に、防犯機能を高めることができるシャッター移動検出装置及び防犯シャッターシステムを提供することを目的とする。
【課題を解決するための手段】
【０００６】
請求項１に記載の発明は、座板部と複数のスラット部を有し開口部を開閉するシャッターの前記座板部又は／及び前記スラット部の移動により変位する被検出手段と、所定の高さに設けられ前記被検出手段の変位を検出する検出手段と、を有することを特徴とする。
【０００７】
請求項１に記載の発明によれば、侵入者がシャッターの座板部をこじ開けると、シャッターの座板部又は／及びスラット部が移動する。シャッターの座板部又は／及びスラット部が移動すると、これらの移動により被検出手段が移動する。この被検出手段が移動すると、被検出手段の移動が検出手段により検出される。これにより、シャッターの上方部分（検出手段が設けられている近傍部分）が移動しなくても、シャッターの座板部が移動したことが判断でき、防犯設備を作動させることができる。
また、検出手段が所定の高さに設けられているため、床面の浸水やシャッターを閉じる際に生じる衝撃などにより、検出手段が故障・破損等してしまうことを防止できる。さらに、検出手段が所定の高さに設けられているため、シャッターを閉じた際にその座板部が接触する床面付近に配線などの電気通信部材を配置させる必要がなく、また、床面の浸水やシャッターを閉じる際に生じる衝撃などにより、シャッター移動検出装置が故障・破損等してしまうことを防止できる。
【０００８】
請求項２に記載の発明は、請求項１に記載のシャッター移動検出装置において、前記被検出手段は、前記座板部の近傍に取り付けられ前記座板部又は／及び前記スラット部の移動により変位する連動部材であることを特徴とする。
【０００９】
請求項２に記載の発明によれば、被検出手段が座板部の近傍に取り付けられ座板部又は／及びスラット部の移動により変位する連動部材であるため、侵入者が座板部を持ち上げて侵入する際に座板部又は/及びスラット部の移動に伴い連動部材を確実に変位させることができる。
【００１０】
請求項３に記載の発明は、請求項２に記載のシャッター移動検出装置において、前記連動部材は、変位方向に伸縮しない非伸縮性部材であることを特徴とする。
【００１１】
請求項３に記載の発明によれば、連動部材が変位方向に伸縮しない非伸縮性部材であるため、連動部材の変位量が座板部又は/及びスラット部の移動量に略等しくなり、検出手段により座板部又は/及びスラット部の移動量を正確に検出することができる。
【００１２】
請求項４に記載の発明は、請求項１乃至３のいずれか１項に記載のシャッター移動検出装置において、前記検出手段は、前記被検出手段又は前記連動部材の変位を検出したときに、外部に検出信号を出力する検出信号送信手段を有することを特徴とする。
【００１３】
請求項４に記載の発明によれば、検出手段が被検出手段又は連動部材の変位を検出したときに、検出信号送信手段から外部に検出信号が出力されるため、外部に設けられた設備などを検出信号に基づいて作動させることができる。
【００１４】
請求項５に記載の発明は、請求項４に記載のシャッター移動検出装置において、前記検出信号送信手段から出力される検出信号の有効又は無効を切り替え制御する切替手段を有することを特徴とする。
【００１５】
請求項５に記載の発明によれば、切替手段による制御により検出信号送信手段から出力される検出信号が有効又は無効のいずれかに切り替えられる。これにより、ユーザなどがシャッターを開けるときには、切替手段により検出信号を無効とすることによりシャッター移動検出装置の誤作動を防止できる。一方、切替手段により検出信号を有効とすることによりシャッター移動検出装置を正常に作動させ、防犯機能を維持することができる。
【００１６】
請求項６に記載の発明は、請求項５に記載のシャッター移動検出装置において、前記検出信号送信手段から出力される検出信号が有効であるか又は無効であるかを表示する表示手段を有することを特徴とする。
【００１７】
請求項６に記載の発明によれば、表示手段により検出信号送信手段から出力される検出信号が有効であるか又は無効であるかが表示される。これにより、ユーザは表示手段の表示を視認することで、現在の検出信号の有効性を瞬時に判別することができる。
【００１８】
請求項７に記載の発明は、請求項４乃至６のいずれか１項に記載のシャッター移動検出装置と、前記開口部を開閉するように前記シャッターを上下方向に移動させるシャッター移動手段と、前記シャッター移動手段を作動させる駆動手段と、を有し、前記制御手段は、前記検出信号送信手段の検出信号に基づいて前記駆動手段を制御することを特徴とする。
【００１９】
請求項７に記載の発明によれば、シャッター移動検出手段の検出手段により被検出手段の変位が検出されると、検出信号送信手段から検出信号が出力される。この検出信号送信手段の検出信号に基づいて駆動手段が制御手段により制御されると、シャッター移動手段が作動され、シャッターが下方に移動させられることにより、開口部を閉じることができる。これにより防犯機能を高めることができる。
【００２０】
請求項８に記載の発明は、請求項７に記載の防犯シャッターシステムにおいて、侵入者を威嚇又は／及び撃退する威嚇・撃退手段を有し、前記制御手段は、前記検出信号送信手段の検出信号に基づいて、前記駆動手段の制御と共にあるいは前記駆動手段の制御に替えて、前記威嚇・撃退手段を制御することを特徴とする。
【００２１】
請求項８に記載の発明によれば、検出信号送信手段の検出信号に基づいて威嚇・撃退手段が制御手段により制御されるため、侵入者を威嚇・撃退させることができる。また、略同時に、検出信号送信手段の検出信号に基づいて駆動手段が制御される場合には、シャッターが下方に移動させられて、開口部が閉じられる。これらにより、侵入者を威嚇・撃退させることができると共に、侵入者の屋内への侵入を阻止することができる。
【００２２】
請求項９に記載の発明は、請求項８に記載の防犯シャッターシステムにおいて、前記威嚇・撃退手段は、所定の音を出力する音出力手段又は光を出射する光出射手段の少なくとも一方であり、前記制御手段は、前記検出信号送信手段の検出信号に基づいて、前記駆動手段の制御と共にあるいは前記駆動手段の制御に替えて、前記音出力手段から警報を出力させ又は／及び前記光出射手段から光を出射させることを特徴とする。
【００２３】
請求項９に記載の発明によれば、検出信号送信手段の検出信号に基づいて音出力手段又は／及び光出射手段が制御手段により制御され、音出力手段から警報が出力され又は／及び光出射手段から光が出射される。また、略同時に、検出信号送信手段の検出信号に基づいて駆動手段が制御される場合には、シャッターが下方に移動させられて、開口部が閉じられる。これらにより、侵入者を威嚇・撃退させることができると共に、侵入者の屋内への侵入を阻止することができる。
【発明の効果】
【００２４】
請求項１に記載の発明は、侵入者がシャッターの座板部をこじ開けると、シャッターの座板部又は／及びスラット部が移動し、さらに、これらの移動により被検出手段が移動する。この被検出手段が移動すると、被検出手段の移動が検出手段により検出されるため、シャッターの座板部が移動したことが判断でき、防犯設備を作動させることができる。
また、検出手段が所定の高さに設けられているため、床面の浸水やシャッターを閉じる際に生じる衝撃などにより、検出手段が故障・破損等してしまうことを防止できる。さらに、検出手段が所定の高さに設けられているため、シャッターを閉じた際にその座板部が接触する床面付近に配線などの電気通信部材を配置させる必要がなく、また床面の浸水やシャッターを閉じる際に生じる衝撃などにより、シャッター移動検出装置が故障・破損等してしまうことを防止できる。
【００２５】
請求項２に記載の発明は、被検出手段が座板部の近傍に取り付けられ座板部又は／及びスラット部の移動により変位する連動部材であるため、侵入者が座板部を持ち上げて侵入する際に座板部又は/及びスラット部の移動に伴い連動部材を確実に変位させることができる。
【００２６】
請求項３に記載の発明は、連動部材が変位方向に伸縮しない非伸縮性部材であるため、連動部材の変位量が座板部又は/及びスラット部の移動量に略等しくなり、検出手段により座板部又は/及びスラット部の移動量を正確に検出することができる。
【００２７】
請求項４に記載の発明は、検出手段が被検出手段又は連動部材の変位を検出したときに、検出信号送信手段から外部に検出信号が出力されるため、外部に設けられた設備などを検出信号に基づいて作動させることができる。
【００２８】
請求項５に記載の発明は、切替手段による制御により検出信号送信手段から出力される検出信号が有効又は無効に切り替えることができるため、ユーザなどがシャッターを開けるときには、切替手段により検出信号を無効とすることによりシャッター移動検出装置の誤作動を防止できる。一方、切替手段により検出信号を有効とすることによりシャッター移動検出装置を正常に作動させ、防犯機能を維持することができる。
【００２９】
請求項６に記載の発明は、表示手段により検出信号送信手段から出力される検出信号が有効であるか又は無効であるかが表示されるため、ユーザは表示手段の表示を視認することにより、現在の検出信号の有効性を瞬時に判別することができる。
【００３０】
請求項７に記載の発明は、シャッター移動検出手段の検出手段により被検出手段の変位が検出されると、検出信号送信手段から検出信号が出力され、この検出信号送信手段の検出信号に基づいて駆動手段が制御手段により制御されることにより、シャッターを下方に移動させられることができ、開口部を閉じることができる。これにより防犯機能を高めることができる。
【００３１】
請求項８に記載の発明は、検出信号送信手段の検出信号に基づいて威嚇・撃退手段が制御手段により制御されるため、侵入者を威嚇・撃退させることができる。また、略同時に、検出信号送信手段の検出信号に基づいて駆動手段が制御される場合には、シャッターが下方に移動させられて、開口部が閉じられる。これらにより、侵入者を威嚇・撃退させることができると共に、侵入者の屋内への侵入を阻止することができる。
【００３２】
請求項９に記載の発明は、検出信号送信手段の検出信号に基づいて音出力手段又は／及び光出射手段が制御手段により制御され、音出力手段から警報が出力され又は／及び光出射手段から光が出射される。また、略同時に、検出信号送信手段の検出信号に基づいて駆動手段が制御される場合には、シャッターが下方に移動させられて、開口部が閉じられる。これらにより、侵入者を威嚇・撃退させることができると共に、侵入者の屋内への侵入を阻止することができる。
【発明を実施するための最良の形態】
【００３３】
次に、本発明の一実施形態に係るシャッター移動検出装置及び防犯シャッターシステムについて、図面を参照して説明する。
【００３４】
先ず、本実施形態の防犯シャッターシステムの概略構成について説明する。
図１（Ａ）、（Ｂ）及び図２に示すように、防犯シャッターシステム１０は、開口部を開閉するシャッター１２と、このシャッター１２を外周に巻き付けることによりシャッター１２を上方（図１中矢印Ａ方向）へ移動させ又は外周から巻き戻すことによりシャッター１２を下方（図１中矢印Ｂ方向）へ移動させる巻上部（シャッター移動手段）１４と、この巻上部１４を回転駆動（作動）させる駆動部(駆動手段)１６と、駆動部１６を制御する制御部(制御手段)１８と、シャッター１２の移動を検出するシャッター移動検出装置２１と、所定の警報（音）を出力するスピーカ（威嚇・撃退手段、音声出力手段、図１では図示省略）２６と、スピーカ２６から出力させる警報などの音データが格納されているＲＡＭ（図１では図示省略）２８と、シャッター１２に強い光を照射する照明ライト（威嚇・撃退手段、光出射手段、図１では図示省略）３０と、を有している。
【００３５】
また、図３に示すように、シャッター１２は、複数のスラット（スラット部）１５が上下方向に連結されて構成されており、その最下部に位置するスラット１５には座板（座板部）１３が取り付けられている。座板１３には、後述の板状部材２４の先端部に設けられたフック部２７と係合する引掛部２９が設けられている。
また、巻上部１４は、屋内側に位置するカバー部材２０に収納されて設けられており、カバー部材２０に形成されたスリット（図示省略）からシャッター１２が垂れ下がっている。
【００３６】
ここで、本実施形態のシャッター移動検出装置の構成について説明する。
図１及び図２に示すように、シャッター移動検出装置２１は、座板１３又は／及びスラット１５の移動と共に上方向に移動する金属製の板状部材(被検出手段、連動部材、非伸縮部材)２４を備えている。この板状部材２４は、巻取り可能に構成されており、その先端部には座板１３の引掛部２９と係合するフック部２７が設けられている。このため、収納部材２５に巻き取られた板状部材２４は、フック部２７を下方に引くことにより、収納部材２５から巻き戻すことができ、板状部材２４のフック部２７を座板１３の引掛部２９に引っ掛けることができる。このように、板状部材２４のフック部２７が座板１３の引掛部２９に取り付けられた状態では、板状部材２４はシャッター１２と略平行にかつ、カバー部材２０の内部まで延在するように構成されている。また、板状部材２４には、厚み方向に貫通する貫通穴３３が板状部材２４の軸方向に沿って複数形成されている。
ここで、この板状部材２４は、座板１３に取り付けられているため、座板１３又は／及びスラット１５の移動によりそれ自体が伸縮することなく変位する。このため、板状部材２４の変位量が座板１３又は／及びスラット１５の移動量と略同一になる。
また、カバー部材２０の内部には、板状部材２４を巻き取りあるいは巻き戻す収納部材２５が配置されている。この収納部材２４には巻取軸(図示省略)が設けられており、この巻取軸の回転により板状部材２４が巻き取られて上方(図１中矢印Ａ方向側)し、あるいは巻き戻されて下方(図１中矢印Ｂ方向側)に移動するようになっている。
なお、板状部材２４は、カバー部材２０の内部からスリット（図示省略）を通してカバー部材２０の外部に移動できるようになっている。
また、板状部材２４の不使用時には、フック部２７を引掛部２９から取り外すことにより、板状部材２４が収納部材２５の巻取軸により順次巻き取られ、収納部材２５に収納されるように構成されていてもよい。
また、カバー部材２０には、検出器(検出手段)２２が取り付けられている。図２に示すように、検出器(検出手段)２２は、光を発光する発光素子２２Ａと、板状部材２４を間に挟んで発光素子２２Ａと対向する位置に配置され発光素子２２Ａから発光された光を受光する受光素子２２Ｂと、受光素子２２Ｂで受光された光の光量に基づいて板状部材２４の移動量(変位量)を算出するＣＰＵ２２Ｃと、板状部材２４の貫通穴３３の数と板状部材２４の変位量との関係を示すテーブルを格納したＲＡＭ２２Ｄと、ＣＰＵ２２Ｃによる算出結果に基づいて検出信号を制御部１８に出力する検出信号送信部２２Ｅ（検出信号送信手段）と、後述の入力操作部(切替手段)２２Ｆと、後述の表示装置２２Ｇと、で構成されている。
ここで、上記入力操作部２２Ｆは、ボタン（図示省略）を備えており、ボタンを押す毎に検出信号の有効／無効を切り換えることができる。この入力操作部２２Ｆを設けることにより、例えば、ユーザが所定の作業などする際に、板状部材２４が取り付けられたシャッター１２を上方へ移動させようとする場合に、検出信号送信部２２Ｅからの検出信号が無効となるように入力操作部２２Ｆを操作することにより、シャッター１２が移動しても検出信号が検出信号送信部２２Ｅから出力されず、誤作動を防止することができる。
なお、ユーザによる作業が終了すると、検出信号送信部２２Ｅからの検出信号が有効となるように入力操作部２２Ｆを操作することにより、検出信号が正常に検出信号送信部２２Ｅから出力される状態となり、防犯機能を維持することができる。
また、上記表示装置２２Ｇは、検出信号送信部２２Ｅからの検出信号が現在、有効なのか又は無効なのかを表示する装置である。例えば、検出信号送信部２２Ｅからの検出信号が有効である状態では、表示装置２２Ｇに「有効」と表示され緑色のランプが点灯し、また、検出信号送信部２２Ｅからの検出信号が無効である状態では、表示装置２２Ｇに「無効」と表示され赤色のランプが点灯する。これにより、ユーザは、検出信号送信部２２Ｅからの検出信号の有効性を瞬時に判別することができる。
なお、本実施形態では、発光素子２２Ａ、ＣＰＵ２２Ｃ、ＲＡＭ２２Ｄ、検出信号送信部２２Ｅ、入力操作部２２Ｆ及び表示装置２２Ｇは第１の筐体３５に設けられており、受光素子２２Ｂについては発光素子２２Ａと対向する配置になるように別の第２の筐体３７に設けられている。
ただし、かかる構成に限られることはなく、各構成要素をさらに分離したり、あるいは１つの筐体にまとめて設けるようにしてもよい。
【００３７】
次に、本実施形態の防犯シャッターシステム１０の作用について、シャッター移動検出装置２１の作用も含めて、図５に示すフローチャートに基づいて説明する。
【００３８】
図１及び図２に示すように、制御部１８により駆動部１６が駆動制御されると、巻上部１４が回転駆動し、外周に巻き付いていたシャッター１２を巻き戻す。これにより、図３に示すように、シャッター１２が下方に移動し、開口部が閉じられる（図５中ステップ１００）。
【００３９】
次に、シャッター１２の初期位置がＲＡＭ２２Ｄに記憶される（図５中ステップ１１０）。このシャッター１２の初期位置は、発光素子２２Ａから光を発光させて受光素子２２Ｂで受光されるか否かにより板状部材２４の現在位置に基づいて記憶される。
【００４０】
次に、ＣＰＵ２２Ｃにより板状部材２４が初期位置から変位したか否かが判断される（図５中ステップ１２０）。すなわち、図４に示すように、侵入者がシャッター１２の座板１３の下方にバール３２等の工具を挿入させて座板１３が持ち上げられると、座板１３の移動はスラット１５が屈曲することにより吸収されシャッター１２の上方部分（検出器２２が配置されている近傍部分）は移動しないが、板状部材２４がシャッター１２の座板１３に取り付けられているため、座板１３又は／及びスラット１５の移動に連動して板状部材２４が上方(図４中矢印Ｕ方向側)へ移動(変位)する。板状部材２４が上方向に移動(変位)すると、発光素子２２Ａからの光が板状部材２４に設けられた複数の貫通穴３３を順次通過して受光素子２２Ｂで受光される。この結果、ＣＰＵ２２Ｃにより板状部材２４が初期位置から変位したと判断される。
なお、板状部材２４が初期位置から移動(変位)しない場合には、初期位置で記憶した受光状態に変化がない。この結果、ＣＰＵ２２Ｃにより板状部材２４が変位していないと判断される。
次に、ＣＰＵ２２Ｃにより板状部材２４が変位したと判断されると、ＣＰＵ２２Ｃにより受光素子２２Ｂでの受光結果とＲＡＭ２２Ｄに格納されたテーブルを用いて板状部材２４の変位量が算出される(図５中ステップ１４０)。このとき、板状部材２４が座板１３又は／及びスラット１５の移動によりその変位方向に伸縮しない金属製のものであるため、板状部材２４の変位量を座板１３又は／及びスラット１５の移動量と略同一とみなすことができ、ＣＰＵ２２Ｃによる算出結果の信頼性を高めることができる。
【００４１】
次に、ステップ１４０においてＣＰＵ２２Ｃにより板状部材２４の変位量が算出された後、ステップ１５０において板状部材２４の変位量が規定値以上となるか否かについてＣＰＵ２２Ｃにより判別される。なお、この規定値は、予めＲＡＭ２２Ｄにデータとして格納されている。これにより、板状部材２４の変位量を規定値と比較することにより、座板１３が自然現象などの外的作用により僅かに持ち上げられるなどした場合に誤作動を防止することができる。
【００４２】
次に、ステップ１５０において板状部材２４の変位量が規定値以上であると判別されると、ＣＰＵ２２Ｃにより検出信号送信部２２Ｅから検出信号の有効性が判別される（図５中ステップ１６０）。ＣＰＵ２２Ｃにより検出信号送信部２２Ｅからの検出信号が有効であると判別されると、検出信号送信部２２Ｅから制御部１８に検出信号が出力される(図５中ステップ１８０)。
一方、ＣＰＵ２２Ｃにより検出信号送信部２２Ｅからの検出信号が無効である（有効でない）と判別されると、ＣＰＵ２２Ｃによる板状部材２４の変位量の算出結果にかかわらず、検出信号送信部２２Ｅから検出信号は出力されない。
ここで、検出信号送信部２２Ｅからの検出信号が現在、有効であるか、あるいは無効であるかは、表示装置２２Ｇにより表示されている。上述したように、例えば、検出信号送信部２２Ｅからの検出信号が現在、有効である状態では、表示装置２２Ｇに「有効」と表示され緑色のランプが点灯し、また、検出信号送信部２２Ｅからの検出信号が現在、無効である状態では、表示装置２２Ｇに「無効」と表示され赤色のランプが点灯する。このように、ユーザは、表示装置２２Ｇを視認することにより、検出信号送信部２２Ｅからの検出信号が現在、有効であるか、あるいは無効であるかを瞬時に判別することができ、検出信号が無効である状態を放置することによる防犯機能の低下を防止することができる。
【００４３】
また、ステップ１８０で、検出信号送信部２２Ｅから制御部１８に検出信号が出力されると、制御部１８により駆動部１６が制御され、巻上部１４がシャッター１２を巻き戻す方向（下方向）に回転駆動されて、シャッター１２がその自重により下方向に降下（自重降下）する（図５中ステップ２００）。これにより、侵入者を威嚇・撃退させることができ、防犯機能をさらに高めることができる。
また、略同時に、検出信号送信部２２Ｅから制御部１８に検出信号が出力されると、制御部１８によりスピーカ２６が制御され、スピーカ２６から所定の警報が出力される（図５中ステップ２２０）。これにより、侵入者を威嚇・撃退させることができ、防犯機能をさらに高めることができる。
さらに、略同時に、検出信号送信部２２Ｅから制御部１８に検出信号が出力されると、制御部１８により照明ライト３０が制御され、照明ライト３０からシャッター１２に向けて強い光が照射される（図５中ステップ２４０）。これにより、侵入者を威嚇・撃退させることができ、防犯機能をさらに高めることができる。
【００４４】
以上のように、本発明のシャッター移動検出装置２１及び防犯シャッターシステム１０によれば、侵入者がシャッター１２の座板部１３をこじ開けると、シャッター１２の上方部分（検出器２２が配置されている近傍部分）が移動しなくても、シャッター１２の座板部１３又は／及びスラット部１５が移動し、板状部材２４が上方に変位する。この板状部材２４の変位量を検出器２２で検出することにより、シャッター１２の座板部１３が移動したことを容易かつ確実に判断できる。
また、検出器２２が所定の高さに設けられているため、床面の浸水やシャッターを閉じる際に生じる衝撃などにより、検出器２２が故障・破損等してしまうことを防止できる。さらに、検出器２２が所定の高さに設けられているため、シャッター１２を閉じた際にその座板部１３が接触する床面付近に配線などの電気通信部材を配置させる必要がなく、床面の浸水やシャッター１２を閉じる際に生じる衝撃などにより、シャッター移動検出装置１０が故障・破損等してしまうことを防止できる。
【００４５】
なお、上記実施形態では、発光素子２２Ａと受光素子２２Ｂとを有する光電式のエンコーダを用いた例を示したが、これに限られるものではなく、例えば磁気式のエンコーダを用いて板状部材２４の変位を検出するようにしてもよい。
【図面の簡単な説明】
【００４６】
【図１】（Ａ）は本発明の一実施形態に係るシャッター移動検出装置がシャッターシステムに取り付けられた状態の正面図であり、（Ｂ）はその側面図である。
【図２】本発明の一実施形態に係る防犯シャッターシステムの構成を示すブロック図である。
【図３】本発明の一実施形態に係るシャッター移動検出装置が取り付けられるシャッターの部分的な構成図である。
【図４】本発明の一実施形態に係るシャッター移動検出装置が取り付けられるシャッターが移動した状態を示す状態図である。
【図５】本発明の一実施形態に係る防犯シャッターシステムの作用を示すフローチャートである。
【図６】従来の防犯シャッターシステムの概略構成図である。
【符号の説明】
【００４７】
１０          防犯シャッターシステム
１２          シャッター
１３          座板（座板部）
１４          巻上部（シャッター移動手段）
１５          スラット（スラット部）
１６          駆動部(駆動手段)
１８          制御部（制御手段）
２１          シャッター移動検出装置
２２          検出器（検出手段）
２２Ｅ        検出信号送信部（検出手段、検出信号送信手段）
２２Ｆ        入力操作部(切替手段)
２２Ｇ        表示装置（表示手段）
２４          板状部材（被検出手段、連動部材、非伸縮性部材）
２６          スピーカ（威嚇・撃退手段、音声出力手段）
３０          照明ライト（威嚇・撃退手段、光出射手段）
【図１】
2005314897.tif 000003
【図２】
2005314897.tif 000004
【図３】
2005314897.tif 000005
【図４】
2005314897.tif 000006
【図５】
2005314897.tif 000007
【図６】
2005314897.tif 000008